(57)【要約】【課題】ディスプレイパネルの検査装置とこれを利用したディスプレイパネル検査方法。【解決手段】本発明は小型ディスプレイパネルの点灯検査を連続的に実施することができるディスプレイパネル検査装置に関する。本発明のディスプレイパネル検査装置はフレーム一側に固定され、ディスプレイパネルが搭載される第１ワークテーブルと、フレームの他側に固定され、ディスプレイパネルが搭載される第２ワークテーブル、第１及び第２ワークテーブル上部面に所定距離離隔された状態で移動可能であり、前記第１及び第２ワークテーブルに搭載されたディスプレイパネルを交代に検査することができる移動式プローブユニットを含んで行われる。【選択図】図１
2007041587.tif 000002
【特許請求の範囲】
【請求項１】
ディスプレイパネル検査装置において、
フレームの一側に固定され、ディスプレイパネルが搭載される第１ワークテーブルと、
前記フレームの他側に固定され、ディスプレイパネルが搭載される第２ワークテーブルと、
前記第１及び第２ワークテーブルに搭載されたディスプレイパネルを交代に検査可能に前記第１及び第２テーブル間に移動可能に設置された移動式プローブユニットとを含むことを特徴とするディスプレイパネル検査装置。
【請求項２】
前記移動式プローブユニットは、
前記第１及び第２ワークテーブル中にいずれか一つのワークテーブルに移動するように前記フレームの一面に設置される移動プレートと、
前記移動プレート上に設置され、前記第１ワークテーブルに搭載されたディスプレイパネルまたは前記第２ワークテーブルに搭載されたディスプレイパネルと電気的に接続される検査チップを有するプローブブロックと、
前記移動プレートを前記第１ワークテーブルまたは第２ワークテーブルに移動させる駆動部とを含むことを特徴とする請求項１に記載のディスプレイパネル検査装置。
【請求項３】
前記ディスプレイパネル検査装置は、
前記ベースプレートの前面に設置されたディスプレイパネルを照明するように前記第１、２ワークテーブル後面に設置されたバックライトユニットをさらに含むことを特徴とする請求項１に記載のディスプレイパネル検査装置。
【請求項４】
前記ディスプレイパネル検査装置は、
ディスプレイパネルに点灯信号を入力する点灯信号制御器をさらに含むことを特徴とする請求項１または請求項２に記載のディスプレイパネル検査装置。
【請求項５】
前記点灯信号制御器は、
ディスプレイパネルが発光するように点灯信号を発生させる点灯発生器と、前記点灯発生器から発生された点灯信号をディスプレイパネルと電気的に接続されるプローブブロックに分配させる信号分配器を含むことを特徴とする請求項４に記載のディスプレイパネル検査装置。
【請求項６】
前記点灯信号制御器は、
前記信号分配器から各々のプローブブロックに連結される線路を選択的に短絡させる制御スイッチをさらに含むことを特徴とする請求項５に記載のディスプレイパネル検査装置。
【請求項７】
前記ワークテーブル各々にはディスプレイパネルを固定する複数のパレットが複数の列と行からなる配置で提供されることを特徴とする請求項１に記載のディスプレイパネル検査装置。
【請求項８】
フレーム上に固定される第１ワークテーブルにディスプレイパネルをローディングさせる第１段階と、
前記第１ワークテーブルに移動式プローブユニットを移動させる第２段階と、
前記ディスプレイパネルに電気的に接続される前記移動式プローブユニットによって第１ワークテーブルに搭載されたディスプレイパネルを検査することと同時に第２ワークテーブルにディスプレイパネルをローディングさせる第３段階と、
前記第２ワークテーブルに前記移動式プローブユニットを移動させる第４段階と、
前記第２ワークテーブルにローディングされたディスプレイパネルを検査することと同時に前記第１ワークテーブル上で検査が完了されたディスプレイパネルをアンローディングする第５段階と、
前記第１乃至第５段階の検査段階を交代に、繰り返して実行する段階を含んで行われることを特徴とするディスプレイパネル検査方法。
【請求項９】
フレーム上に各々少なくとも一つのディスプレイパネルが置かれる複数のワークテーブルを配置し、前記ディスプレイパネルに電気的に接続される移動式プローブユニットを前記ワークテーブル間に移動させながら検査を実行し、
前記ワークテーブル中にいずれか一つのワークテーブルで前記移動式プローブユニットによって検査が行われる間に、他のワークテーブルではディスプレイパネルのアンローディング及びローディングが行われることを特徴とするディスプレイパネル検査方法。
【請求項１０】
前記検査は前記ディスプレイパネルの点灯検査であることを特徴とする請求項９に記載のディスプレイパネル検査方法。
【発明の詳細な説明】
【技術分野】
【０００１】
本発明はディスプレイパネルの検査装置とこれを利用したディスプレイパネル検査方法に係り、さらに詳細には小型ディスプレイパネルの点灯検査を連続的に実行することができるディスプレイパネルの検査装置とこれを利用したディスプレイパネル検査方法に関する。
【背景技術】
【０００２】
一般的に、液晶表示装置（ＴＦＴ−ＬＣＤ）のような平板ディスプレイ（ｆｌａｔ  ｐａｎｅｌ  ｄｉｓｐｌａｙ）は量産技術の確保と研究開発の成果で大型化と高解像度が急速度に進展され、ノートブックコンピュータ（ｃｏｍｐｕｔｅｒ）用だけではなく、大型モニター（ｍｏｎｉｔｏｒ）の応用製品も開発されており、従来のＣＲＴ（ｃａｔｈｏｄｅ  ｒａｙ  ｔｕｂｅ）製品を漸進的に代替している。従って、ディスプレイ産業でのその比重がだんだん増大されている。
【０００３】
このような平板ディスプレイ（ｆｌａｔ  ｐａｎｅｌ  ｄｉｓｐｌａｙ）装置は製造ライン最終段階で点灯検査を実行する。点灯検査はプローブユニットを利用して平板ディスプレイ（以下、ディスプレイパネルと言う）のデータラインとゲートライン各々の断線検査と色相検査そして肉眼検査などを実施する。
【０００４】
最近は携帯用電話機に使われるＬＣＤパネルのような小型のディスプレイパネルの需要が急増しており、このような小型のディスプレイパネルを検査する時には、その度に、供給、整列、接続、検査及び抽出が毎度繰り返して行われるので、作業及び検査時間が増大し、生産性が低下するという問題点がある。
【発明の開示】
【発明が解決しようとする課題】
【０００５】
本発明は装置の大きさを最小化することができる新たな形態のディスプレイパネル検査装置及びこれを利用したディスプレイパネル検査方法を提供することを目的とする。
【０００６】
また、本発明は一度に複数のディスプレイパネルを検査することができる新たな形態のディスプレイパネル検査装置及びこれを利用したディスプレイパネル検査方法を提供することを目的とする。
【０００７】
また、本発明は多様な単位ディスプレイパネルが互いに連結されたスティックタイプの検査対象物を検査することができる新たな形態のディスプレイパネル検査装置とこれを利用したディスプレイパネル検査方法を提供することを目的とする。
【０００８】
本発明の目的はこれに制限されず、言及されないまた他の目的は以下の記載から当業者に明確に理解されることができる。
【課題を解決するための手段】
【０００９】
上述の目的を達成するための本発明のディスプレイパネル検査装置はフレーム一側に固定され、ディスプレイパネルが搭載される第１ワークテーブルと、フレームの他側に固定され、ディスプレイパネルが搭載される第２ワークテーブル、第１及び第２ワークテーブル上部面に所定距離離隔された状態で移動可能であり、前記第１及び第２ワークテーブルに搭載されたディスプレイパネルを交代に検査することができる移動式のプローブユニットを含むことができる。
【００１０】
本発明の一実施形態によれば、前記移動式のプローブは前記第１及び第２ワークテーブル中のいずれか一つのワークテーブルに移動するように、前記フレームの一側に設置される移動プレート、前記移動プレートに設置され、前記第１ワークテーブルに搭載されたディスプレイパネルまたは前記第２ワークテーブルに搭載されたディスプレイパネルと電気的に接続される検査チップを有するプローブブロックと、前記移動プレートを前記第１ワークテーブルまたは第２ワークテーブルに移動させる駆動部とを含むことができる。
【００１１】
本発明の一実施形態によれば、前記ディスプレイパネル検査装置は前記ワークテーブルの後面には前記ベースプレートの前面に設置されたディスプレイパネルを照明するバックライトユニットをさらに含むことができる。
【００１２】
本発明の一実施形態によれば、前記ディスプレイパネル検査装置はディスプレイパネルに点灯信号を入力する点灯信号制御器をさらに含むことができる。
【００１３】
本発明の一実施形態によれば、前記点灯信号制御器はディスプレイパネルが発光するように、点灯信号を発生させる点灯発生器と、前記点灯発生器から発生された点灯信号をディスプレイパネルと電気的に接続されるプローブブロックに分配させる信号分配器を含むことができる。
【００１４】
本発明の一実施形態によれば、前記点灯信号制御器は前記信号分配器から各々のプローブブロックに連結される線路を選択的に短絡させる制御スイッチをさらに含むことができる。
【００１５】
本発明はディスプレイパネルを検査する方法を提供する。本発明のディスプレイパネル検査方法によれば、フレーム上に各々少なくともディスプレイパネルが置かれる複数のワークテーブルを配置し、前記ディスプレイパネルに電気的に接続される移動式プローブユニットを前記ワークテーブル間に移動させながら、検査を実行し、前記ワークテーブル中のいずれか一つのワークテーブルで前記移動式プローブユニットによって検査が行われる間に、他のワークテーブルではディスプレイパネルのアンローディング及びローディングが行われる。
【００１６】
本発明のディスプレイパネル検査方法によれば、フレーム上に固定される第１ワークテーブルにディスプレイパネルをローディングさせる第１段階と、前記第１ワークテーブルに移動式プローブユニットを移動させる第２段階と、前記ディスプレイパネルに電気的に接続させる前記移動式プローブユニットによって前記第１ワークテーブルに搭載されたディスプレイパネルを検査することと同時に、第２ワークテーブルにディスプレイパネルをローディングさせる第３段階と、前記第２ワークテーブルに前記移動式プローブユニットを移動させる第４段階と、前記第２ワークテーブルにローディングされたディスプレイパネルを検査することと同時に第１ワークテーブル上で検査が完了されたディスプレイパネルをアンローディングする第５段階と、前記第１乃至第５段階の検査段階を交代に繰り返して実行する段階を含むことができる。
【発明の効果】
【００１７】
上述のように、本発明のディスプレイパネル検査装置は複数個の単位ディスプレイパネルが調合されてなるスティックタイプの検査対象物を１２個ずつ連続的に検査することができるから処理量を著しく向上させることができる格別な効果を有する。
【００１８】
また、本発明は移動式プローブユニットを用いることによって、装置の大きさを減らすことができる格別な効果を有する。
【００１９】
また、本発明は点灯信号発生器の出力を調節でき、小容量の点灯信号発生器の使用が可能でおり、点灯信号発生器の過度な出力による負荷を減少することができる格別な効果を有する。
【発明を実施するための最良の形態】
【００２０】
本発明の実施形態は多様な形態で変更されることができ、本発明の範囲が以下に詳述する実施形態に限定されるものと解釈されるべきではない。本実施形態は当業界で平均的な知識を有する者に本発明をさらに完全に説明するために提供されるものである。従って、図面での要素の形状などはさらに明確に説明を強調するために誇張されることもある。
【００２１】
以下、本発明の実施形態を添付する図１乃至図６に基づいて詳細に説明する。また、前記図面で同一の機能を実行する構成要素に関しては同一の参照番号を付する。
【００２２】
図１乃至図３は本発明の実施形態によるディスプレイパネル検査装置の、それぞれ正面図、平面図及び側面図である。
【００２３】
以下、説明を簡略にし、容易に理解することができるように、ディスプレイパネルと平行の面内での左右方向をＸ方向と言い、その液晶表示パネルに垂直である方向をＺ方向と言う。
【００２４】
図１乃至図３を参照すると、本発明のディスプレイパネル検査装置１００はプローブユニット１３０を利用して小型の単位ディスプレイパネル１０ａの三つが互いに連結されたスティックタイプの検査対象物（以下、ディスプレイパネル；１０）のデータラインとゲートライン各々の単線検査と色相検査などを利用した肉眼検査を実施する装置である。ここで、検査対象物は多数枚の単位ディスプレイパネル１０ａが互いに連結されたスティックタイプのディスプレイパネル１０以外に一つの単品ディスプレイパネルで構成されることができる。
【００２５】
本発明の基本的な意図は小型ディスプレイパネル１０の連続検査を可能にして生産量増加を図ることである。これを達成するために本発明の検査装置１００は第１検査位置（Ａ：図２に図示される）と第２検査位置（Ｂ：図２に図示される）にワークテーブル１２０ａ、１２０ｂを各々配置し、プローブユニットを第１検査位置Ａと第２検査位置Ｂとの間を移動させながら連続的な検査を実行することができるようにする構造を有する。
【００２６】
本発明のディスプレイパネル検査装置１００は、大きく、フレーム１１０と第１、２ワークテーブル１２０ａ、１２０ｂ、及び移動式プローブユニット１３０を含む。
【００２７】
フレーム１１０は前方に大略、６０度の角度で傾いた傾斜面部１１２を有する。この傾斜面部１１２には第１ワークテーブル１２０ａと第２ワークテーブル１２０ｂが左右両側に対称に設置される。第１ワークテーブル１２０ａと第２ワークテーブル１２０ｂ各々には点灯検査のためのディスプレイパネル１０が置かれる１２個のパレット（ｐａｌｌｅｔ；１２２）が設置されており、図示しないが、パレット１２２にはディスプレイパネル１０を安定的に固定するための真空吸着部とディスプレイパネルが置かれる位置を案内するガイド部材などが設置されることができる。パレット１２２は各々のワークテーブル１２０ａ、１２０ｂに複数の列と行からなる配置で提供されることができる。例えば、本発明で第１ワークテーブル１２０ａと第２ワークテーブル１２０ｂに設置されるパレット１２２の個数は多様に変化されることができる。一方、第１ワークテーブル１２０ａと第２ワークテーブル１２０ｂ後方には第１、２ワークテーブル１２０ａ、１２０ｂ各々に置かれるディスプレイパネル１０後方から照明するように点灯される空地のバックライトユニット（図示されない）が設置されることができる。
【００２８】
図１及び図４に図示されたように、移動式プローブユニット１３０は第１ワークテーブル１２０ａに搭載されたディスプレイパネル１０と電気的に接続される第１検査位置（Ａ；図２参照）と第２ワークテーブル１２０ｂに搭載されたディスプレイパネル１０と電気的に接続される第２検査位置（Ｂ；図２参照）を交代に移動しながら第１ワークテーブル１２０ａまたは第２ワークテーブル１２０ｂに搭載されたディスプレイパネル１０を連続的に検査するためにある。
【００２９】
移動式プローブユニット１３０を見れば、移動プレート１３２にはディスプレイパネル１０と電気的に接続される検査チップを有するプローブブロック１３４が設置される。この移動プレート１３２は第１検査位置Ａまたは第２検査位置Ｂに移動するようにフレーム１１０の傾斜部１１２に設置される。この移動プレート１３２は傾斜面部１１２の上端と下端にＸ方向に設置されたガイドレール１１４を駆動部１３６によってＸ軸方向にスライド移動される。本実施形態では図面の便宜上、駆動部１３６をフレーム１１０の下端に設置されるように図示したが、駆動部１３６は外部に露出されないように、移動プレート１３２の後面に設置されることができる。例えば、本実施形態では移動プレート１３２の移動のための駆動部１３６にエアシリンダを例を挙げて説明し、図示したが、これは単に一つの例に過ぎず、精密度によってボールスクリューやリニアモーターなどの多様な駆動装置が使われることができる。
【００３０】
一方、移動式プローブユニット１３０はプローブブロック１３４の検査チップがディスプレイパネル１０と電気的に接続される位置に移動された状態でディスプレイパネル１０と垂直するＺ軸方向にアップダウン移動され、この移動によってディスプレイパネル１０と電気的に接続または非接続される。
【００３１】
このような移動式プローブユニット１３０を有する検査装置での連続的な検査過程を簡略に見れば、図１に図示されたように、移動式プローブユニット１３０が第１検査位置Ａで点灯検査などを実施する間、第２検査位置Ｂの第２ワークテーブル１２０ｂでは作業者によってディスプレイパネル１０の交換作業が行われる。第１検査位置Ａで検査を行った移動式プローブユニット１３０がディスプレイパネル１０の交換が完了された第２検査位置Ｂに移動して第２ワークテーブル１２０ｂに置かれるディスプレイパネル１０の点灯検査を実施する間、第１検査位置Ａの第１ワークテーブル１２０ａでは作業者によるディスプレイパネル１０の交換作業が行われる。即ち、第１及び第２ワークテーブルに装着されたディスプレイパネルは移動式プローブユニットによって順次的な検査をすることになる。さらに詳細に説明すれば、第１及び第２ワークテーブル中のいずれか一つのワークテーブル上に搭載されたディスプレイパネルの検査を終了した後、残った他の一つのワークテーブルにプローブユニットが移動してディスプレイパネルを検査することになる（図４を参照）。
【００３２】
このように、本発明の検査装置１００はディスプレイパネル１０と電気的に接続される検査チップを有するプローブブロック１３４が設置された移動式プローブユニット１３０が直接、第１検査位置Ａと第２検査位置Ｂを移動しながら点灯検査を実施するので、ワークテーブル１２０ａ、１２０ｂを移動する方式に比べて、その占有空間を著しく減らすことができる格別な効果を有する。
【００３３】
図５と図６は本発明によるディスプレイパネル検査装置の点灯信号制御器による構成図である。前述したディスプレイパネル検査装置１００は三つの単位ディスプレイ１０ａパネルが互いに連結されたスティックタイプのディスプレイパネル１０の１２個（総３６個の単位ディスプレイパネル）を同時に検査することができる装置である。これのために、本発明の検査装置１００は図５に図示されたように、各々のディスプレイパネル１０に点灯信号を入力する点灯信号制御器１４０を含む。この点灯信号制御器１４０はバックライト（図示されない）によって発光された光源がディスプレイパネル１０に透過される時、ディスプレイパネル１０に画像が形成されるように画像に対応する点灯信号を発生する点灯信号発生器１４２と、点灯信号発生器１４２から発生された点灯信号を多数の線路を通じて各々のプローブブロック１３４に分配させる信号分配器１４４を含む。ここで、点灯信号発生器１４２はプローブブロック１３４の検査チップと接続されるディスプレイパネル１０のデータ端子に同時多発的に点灯信号を発生させることができ、または、大容量の点灯信号による過度な負荷を予防するために、点灯信号発生器１４２はディスプレイパネル１０を順次的に点灯させる方式が用いられることができる。一方、点灯信号制御器１４０は点灯信号発生器１４２で発生された点灯信号を選択的にディスプレイパネル１０に供給させる制御スイッチ１４６を含むことができる。点灯信号発生器１４２では発生された点灯信号は信号分配器１４４を通じて各々のプローブブロック１３４に提供され、この点灯信号は制御スイッチ１４６の短絡によって選択的に三つずつ（または一つずつ）点灯させることができる。即ち、本発明による検査装置１００は制御スイッチ１４６を通じて点灯信号発生器１４２の出力を調節でき、小容量の点灯信号発生器１４２の使用が可能であり、点灯信号発生器１４２の過度な出力による負荷を減少させることができる。
【００３４】
一方、本発明は前記の構成からなるディスプレイパネル検査装置において、多様に変形されることができ、色々な形態をとることができる。しかし、本発明は前記の詳細な説明で言及される特別な形態に限定されるものではなく、添付する請求範囲によって定義される本発明の精神と範囲内にある全ての変形物と均等物及び代替物を含むものと理解されるべきである。
【図面の簡単な説明】
【００３５】
【図１】本発明の実施形態によるディスプレイパネル検査装置の正面図である。
【図２】本発明の実施形態によるディスプレイパネル検査装置の平面図である。
【図３】本発明の実施形態によるディスプレイパネル検査装置の側面図である。
【図４】図１で第２検査位置に移動された移動式のプローブユニットを示す図である。
【図５】本発明によるディスプレイパネル検査装置の点灯信号制御器の構成を示す構成図である。
【図６】本発明によるディスプレイパネル検査装置の点灯信号制御器の構成を示す構成図である。
【符号の説明】
【００３６】
１１０  フレーム
１２０ａ  第１ワークテーブル
１２０ｂ  第２ワークテーブル
１２２  パレット
１３０  移動式プローブユニット
【図１】
2007041587.tif 000003
【図２】
2007041587.tif 000004
【図３】
2007041587.tif 000005
【図４】
2007041587.tif 000006
【図５】
2007041587.tif 000007
【図６】
2007041587.tif 000008